(57)【特許請求の範囲】
【請求項１】
筒状のシェルの下部に筒状のディスチャージリングを設置し、前記シェルの中心に設けた回転軸に取付けた破砕機構と前記シェルとの間で被破砕物を破砕し、前記シェルの下部フランジと前記ディスチャージリングの上部フランジとの間に設置したチョークリングと前記破砕機構との間隙から破砕物を前記ディスチャージリングに落下させる竪型破砕機であって、
前記上部フランジと前記チョークリングの下面および／または前記下部フランジと前記チョークリングの上面の間にスペーサを備え、
前記スペーサは前記上部フランジと前記下部フランジとの間に配置され、前記ディスチャージリングに落下する破砕物の衝突による打撃を受けない位置に位置決め固定されている竪型破砕機。
【請求項２】
前記チョークリングは位置調節機構により前記上部フランジと前記下部フランジとの間で径方向に出退可能に構成され、前記スペーサは前記チョークリングに重畳して配置されるとともに前記上部フランジと前記下部フランジとの間で径方向への移動が阻止された状態に位置決め固定されている請求項１記載の竪型破砕機。
【請求項３】
前記スペーサの外側端縁に前記上部フランジの外側端縁または前記下部フランジの外側端縁より外側に突出する突出片部を備えている請求項１または２記載の竪型破砕機。
【請求項４】
前記チョークリングおよび前記スペーサは、前記上部フランジと前記下部フランジの間で、周方向に分割して配置され、前記スペーサの厚みは少なくとも破砕物の衝撃により先端側に生じた前記チョークリングの歪の変形代より厚く構成されている請求項１から３の何れかに記載の竪型破砕機。
【発明の詳細な説明】
【技術分野】
【０００１】
本発明は、廃棄された家電製品・粗大・不燃ごみや金属スクラップなどを破砕する竪型破砕機に関する。
【背景技術】
【０００２】
廃棄された冷蔵庫などの家電製品が回収され、再利用などのために破砕処理する装置として竪型破砕機が用いられている。
【０００３】
竪型破砕機は、筒状のシェルの下部に筒状のディスチャージリングを設置し、シェルの中心に設けた回転軸に取付けた破砕機構とシェルとの間で被破砕物を破砕するように構成されている。
【０００４】
そして、シェルの下部フランジとディスチャージリングの上部フランジとの間に設置した可動チョークリングと可動チョークリングに対向する破砕機構との間に形成される間隙から破砕物をディスチャージリングに落下させるように構成されている。破砕機構は、回転軸周りに回転するロータと、ロータの上部に備えたブレーカとで構成され、ロータは上下三段に設置された円盤と、円盤の外周部で遊転自在に軸支された複数の破砕グラインダを備えている。
【０００５】
特許文献１には、シェルの下部フランジとディスチャージリングの上部フランジとの間に可動チョークリングより肉厚の部材を介在して、分割された各可動チョークリングをそれぞれシェルの半径方向に進退自在とし、かつ、各可動チョークリングの外端を両フランジから外側に突出させ、その各可動チョークリングの前記突出端とシェルの外側とをねじ式あるいはシリンダ式のジャッキにより連結して、そのジャッキにより各可動チョークリングを前記半径方向に進退し得るようにした破砕機の粒度調整装置が開示されている。
【０００６】
特許文献２には、シェルの下部フランジとディスチャージリングの上部フランジとの間に半径方向へ進退動自在な可動チョークリングを複数箇所設け、この可動チョークリングの内周縁を複数の切欠きを有する櫛歯縁として形成し、各可動チョークリングにはこれを半径方向に進退動させる移動手段と、可動チョークリングを所定位置で上記下部フランジ及び上部フランジ間に一体に固定する固定手段を備え、上記可動チョークリングを櫛歯縁を有する上チョークリング板と円弧状の周縁を有する下チョークリング板の２枚のリング板から形成し、下チョークリング板の円弧状周縁を上チョークリング板の櫛歯縁の切欠きと任意の位置で重なるように下チョークリング板を上チョークリング板に対して移動自在に重ねて設け、ロータと櫛歯縁内周端との間を設定粒度以下の所定隙間に設定し、かつ粒度の微調整ができるように構成した破砕機の粒度調整機構が開示されている。
【先行技術文献】
【特許文献】
【０００７】
【特許文献１】実開平５−７４６４１号公報
【特許文献２】特開２００３−１１７４１４号公報
【発明の概要】
【発明が解決しようとする課題】
【０００８】
何れもチョークリングを径方向に出退させることで、破砕機構とチョークリングの内側先端縁との間に形成される空隙のサイズを調節して、空隙からディスチャージリングに落下する破砕物の粒度を調整することができる。
【０００９】
そして、チョークリングが摩耗すると、ディスチャージリングの上部フランジからシェルの下部フランジをジャッキアップして、両フランジ間に僅かな間隙を形成して、チョークリングを径方向外側に引き抜き、新たなチョークリングと交換していた。
【００１０】
しかし、シェルライナと破砕機構との間で破砕された破砕物がディスチャージリングに落下する際に、チョークリングの内側先端領域に破砕物が落下衝突することにより、経時的にチョークリングに内側先端が下方に傾斜する歪が生じるという現象がみられる場合があった。
【００１１】
このような場合に、歪の生じたチョークリングを径方向外側に引き抜こうとしても、チョークリングに生じた歪領域が両フランジ間に形成された僅かな間隙に引っ掛かって径方向外側に引き抜くとことができない、という問題が生じる場合があった。
【００１２】
竪型破砕機の上部には投入フードが設置され、下部は基礎により拘束されているため、ジャッキアップしても両フランジ間の間隙が十分に確保できないためである。
【００１３】
そのような場合、例えばシェルの内部に設置した重量の破砕機構を、ホイストを用いて引き上げてシェルから取り除いた後に、作業者がシェルの内部に進入して、両フランジ間に形成された僅かな間隙からチョークリングを径方向内側に引き抜き、新たなチョークリングと交換し、さらにその後に破砕機構をシェルの内部に設置する、という非常に煩雑な作業が要求されていた。
【００１４】
本発明の目的は、上述した従来の問題点に鑑み、シェルの下部フランジとディスチャージリングの上部フランジとの間に形成される間隙が僅かであっても、チョークリングを径方向外側に引き抜くことができる竪型破砕機を提供する点にある。
【課題を解決するための手段】
【００１５】
上述の目的を達成するため、本発明による竪型破砕機の第一の特徴構成は、筒状のシェルの下部に筒状のディスチャージリングを設置し、前記シェルの中心に設けた回転軸に取付けた破砕機構と前記シェルとの間で被破砕物を破砕し、前記シェルの下部フランジと前記ディスチャージリングの上部フランジとの間に設置したチョークリングと前記破砕機構との間隙から破砕物を前記ディスチャージリングに落下させる竪型破砕機であって、前記上部フランジと前記チョークリングの下面および／または前記下部フランジと前記チョークリングの上面の間にスペーサを備え、前記スペーサは前記上部フランジと前記下部フランジとの間に配置され、前記ディスチャージリングに落下する破砕物の衝突による打撃を受けない位置に位置決め固定されている点にある。
【００１６】
上部フランジとチョークリングの下面および／または下部フランジとチョークリングの上面の間に、チョークリングに加えて、ディスチャージリングに落下する破砕物の衝突による打撃を受けない位置にスペーサを設置することで、チョークリングを交換する際に、下部フランジから上部フランジを例えばジャッキアップしてできる僅かな間隙からスペーサを取り除けば、スペーサの厚みだけ間隙が広がることになり、径方向内側先端部に歪が生じたチョークリングであっても、径方向外側に引き抜くことができるようになる。
【００１７】
同第二の特徴構成は、上述した第一の特徴構成に加えて、前記チョークリングは位置調節機構により前記上部フランジと前記下部フランジとの間で径方向に出退可能に構成され、前記スペーサは前記チョークリングに重畳して配置されるとともに前記上部フランジと前記下部フランジとの間で径方向への移動が阻止された状態に位置決め固定されている点にある。
【００１８】
位置調節機構によりチョークリングと破砕機構との間に形成される間隙を調節することで破砕物の粒度を調節することができる。そして、チョークリングに重畳して配置されるスペーサは位置調節機構の操作にかかわらず、上部フランジと下部フランジとの間で位置決め固定されるので、ディスチャージリングに落下する破砕物が不用意にスペーサを打撃するような事態が回避される。
【００１９】
同第三の特徴構成は、上述した第一または第二の特徴構成に加えて、前記スペーサの外側端縁に前記上部フランジの外側端縁または前記下部フランジの外側端縁より外側に突出する突出片部を備えている点にある。
【００２０】
通常の使用状態ではスペーサがチョークリングや上下何れかのフランジと圧接した状態であるので、チョークリングの交換時に下部フランジから上部フランジをジャッキアップしても、スペーサがチョークリングや上下何れかのフランジに固着して容易に離脱できない虞があるが、スペーサの外側端縁に上部フランジの外側端縁または下部フランジの外側端縁より外側に突出する突出片部を備えていれば、当該突出片部に打撃などの機械的力を加えることで、スペーサを容易に離脱させることができる。
【００２１】
同第四の特徴構成は、上述した第一から第三の何れかの特徴構成に加えて、前記チョークリングおよび前記スペーサは、前記上部フランジと前記下部フランジの間で、周方向に分割して配置され、前記スペーサの厚みは少なくとも破砕物の衝撃により先端側に生じた前記チョークリングの歪の変形代より厚く構成されている点にある。
【００２２】
上部フランジと下部フランジの間で、チョークリングおよびスペーサが周方向に分割して配置されているため、交換の必要があるチョークリングに対応するスペーサを取り外しさえすれば、歪が生じたチョークリングであっても径方向外方に引き抜くことができ、交換作業が容易になる。
【発明の効果】
【００２３】
以上説明した通り、本発明によれば、シェルの下部フランジとディスチャージリングの上部フランジとの間に形成される間隙が僅かであっても、チョークリングを径方向外側に引き抜くことができる竪型破砕機を提供することができるようになった。
【図面の簡単な説明】
【００２４】
【図１】竪型破砕機の一部切欠き説明図
【図２】竪型破砕機の要部の縦断面を示す説明図
【図３】破砕処理部の要部の横断面を示す説明図
【図４】（ａ）は図３に示すスペーサをハッチングした要部の横断面を示す説明図、（ｂ）はスペーサの平面図
【図５】（ａ）はシェルの下部フランジとチョークリングとの間にスペーサが配置された状態を示す要部断面図、（ｂ）はスペーサを配置する前の状態を示す要部断面図
【図６】（ａ）〜（ｃ）は態様が異なるチョークリングとスペーサの設置状態を示す要部説明図
【発明を実施するための形態】
【００２５】
以下に本発明による竪型破砕機の例を、図面を参照して説明する。
図１に示すように、竪型破砕機１は、大型の家電製品などの被破砕物を破砕処理する装置で、コンクリート製の床に固定された装置フレーム２に電動モータ３および電動モータ３と駆動連結された回転軸４を備えた破砕処理部５などを備えて構成されている。
【００２６】
破砕処理部５は、装置フレーム２に固定された筒状のディスチャージリング６と、ディスチャージリング６の上部に配置された筒状のシェル７と、シェル７の中心部に配置された回転軸４に取付けた破砕機構８などを備えている。
【００２７】
シェル７の上部には投入フード１０が設けられ、コンベア機構（図示せず）により搬送された被破砕物が投入フード１０の側壁に形成された投入口１１からシェル７に落下投入される。なお、投入フード１０の天面には爆風排除ダクト１２が設けられ、投入フード１０の背面には後述の破砕機構８を吊り上げるホイストなどのクレーン機構を持ち込む開閉扉を備えている。
【００２８】
図２には、破砕処理部５の縦断面が示されている。シェル７は下方から上方にかけて次第に拡径する円筒状に形成され、内側には複数のシェルライナ１３が所定の間隔で配置されている。シェルはＳＳで構成され、シェルライナ１３は耐摩耗鋳物で構成されている。つまり、本発明では、シェル７はシェルライナ１３を含む概念で使用している。
【００２９】
破砕機構８は回転軸４周りに回転するロータ１７と、ロータ１７の上部に備えたブレーカ１４とで構成されている。ブレーカ１４は径方向に延出形成された一対のブレーカアーム１５，１６を備えている。ロータ１７は上下三段に設置された円盤１８を備え、円盤１８の外周部で複数の破砕グラインダ１９が遊転自在に軸支されている。
【００３０】
ブレーカ１４およびロータ１７が回転軸４と一体に回転することで、シェル７の内部に投入された被破砕物が先ずブレーカ１４で打撃されて粗破砕され、続いて粗破砕物がロータ１７に備えた破砕グラインダ１９とシェルライナ１３との間で細破砕される。なお、シェルライナ１３は、シェル７の内側に配され、破砕機構との間で被破砕物を破砕する構造物であれば、シェル７の内側を被覆するように配した構造物に限らず、シェル7の内側から突出するような突起物であってもよい。
【００３１】
シェル７の下部フランジ７Ａとディスチャージリング６の上部フランジ６Ａとの間にチョークリング２０が設置され、破砕物ＣＭはロータ１７の最下段の円盤１８とその外周に配置されたチョークリング２０との間に形成される空隙Ｓからディスチャージリング６に落下し、ディスチャージリング６に設置され回転軸４と一体に回転するスイーパ６Ｓによってディスチャージリング５０の内部で掃引されて、装置フレーム２に形成された排出口６０から排出される。
【００３２】
図３には、破砕処理部５の横断面の要部が示されている。図３では、シェル７の内部に備えた破砕機構８が省略されている。また、図４は、図３に示すスペーサ２１をハッチングした横断面の要部が示されている。
【００３３】
図２から図４に示すように、シェル７の下部フランジ７Ａとディスチャージリング６の上部フランジ６Ａとの間に、平面視で略三角形のチョークリングガイド２２が６０°の間隔で６箇所に設けられ、各チョークリングガイド２２の間に平面視が略矩形の６枚のチョークリング２０およびスペーサ２１が重畳配置されている。なお、チョークリングガイド２２およびチョークリング２０の数は特に６枚に限定されるものではない。
【００３４】
チョークリングガイド２２は、チョークリング２０の抜き差し方向をガイドするとともに、シェル７の下部フランジ７Ａとディスチャージリング６の上部フランジ６Ａとの間を一定距離に保持するディスタンスピースの役目をする部材であり、ボルトによりフランジ７Ａに締付固定されている。チョークリングガイド２２の厚みはチョークリング２０およびスペーサ２１を合わせた厚みと同じ厚みに設定されている。
【００３５】
チョークリング２０は平面視で略矩形形状の平板でなり、両側辺は互いに平行に形成されている。さらに、チョークリング２０の径方向内縁部はロータ１７に備えた円盤１８の外周との間に僅かな隙間が形成されるように弧状に形成されるとともに弧状部に櫛歯状の多数の切欠き２０Ｃが形成されている。
【００３６】
チョークリング２０は、位置調節機構３０により上部フランジ６Ａと下部フランジ７Ａとの間でチョークリングガイド２２の左右側部に沿って径方向に出退可能に取り付けられ、チョークリング２０の径方向内縁に形成された櫛歯とロータ１７に備えた最下段の円盤１８の外縁との間隙Ｓが調整され、間隙Ｓから落下する程度に破砕物ＣＭの破砕粒径が調節可能に構成されている。
【００３７】
各チョークリング２０には、両側辺と平行に左右一対の長孔２０Ａが穿設されるとともに、一対の長孔２０Ａの間に長孔２０Ａより大径の長孔２０Ｂが穿設されている。一対の長孔２０Ａは、破砕時の衝撃でチョークリング２０が移動しないようにボルト２３とナット２４を介して両フランジ６Ａ，７Ａの間で締付固定するためのボルト挿通孔となる（図２参照。）。
【００３８】
長孔２０Ｂは、シェル７を持上げるためのジャッキボルト２５を挿通するための挿通孔となる。シェル７の下部フランジ７Ａに穿設されたねじ孔にジャッキボルト２５を螺合させ、ジャッキボルト２５の下端が長孔２０Ｂを挿通してディスチャージリング６の上部フランジ６Ａに当接させ、さらにジャッキボルト２５を回転させることにより上部フランジ６Ａから下部フランジ７Ａ、つまりシェル１が持上げられる（図２参照。）。このようにしてチョークリング２０に掛る荷重を無くした状態で、チョークリング２０の半径方向位置を調整できるように、長孔２０Ａおよび長孔２０Ｂが形成されている。
【００３９】
位置調節機構３０は、下部フランジ７Ａに溶着された基部３１に回転自在に保持されたねじボルト３２と、ねじボルト３２に螺合された移動コマ３３を備え、移動コマ３３が取付部３４を介してチョークリング２０に固定されている。ねじボルト３２は基部３１に対して回転自在であるが、水平方向への移動はできないように保持されている。ねじボルト３２の頭部をレンチのような工具で回転させるとねじボルト３２に螺合する移動コマ３３が水平方向に移動し、これによって移動コマ３３が取り付けられているチョークリング２０が半径方向に移動するように構成されている。
【００４０】
上部フランジ６Ａと下部フランジ７Ａとの間には、チョークリング２０に加えてチョークリング２０の引抜代を確保するスペーサ２１が設けられている。上述したように、チョークリング２０は位置調節機構３０により上部フランジ６Ａと下部フランジ７Ａとの間で径方向に出退可能に構成され、スペーサ２１はチョークリング２０に重畳して配置されるとともに上部フランジ６Ａと下部フランジ７Ａとの間で位置決め固定されている。
【００４１】
図４（ａ），（ｂ）に示すように、本実施形態では、チョークリング２０の上面にスペーサ２１が配置され，スペーサ２１は径方向内側および外側が弧状に形成され、左右端部がチョークリング２０の左右端部と合致するように平行に形成されている。スペーサ２１の径方向外側には、下部フランジ７Ａの外側端縁より外側に突出する二つの突出片部２６が形成されている。さらに、上述したボルト２３およびジャッキボルト２５が挿通可能な開孔２７，２８が形成されている。
【００４２】
チョークリング２０に形成された長孔２０Ａ，２０Ｂと異なり、開孔２７，２８は丸孔であり、チョークリング２０とは異なり径方向への移動は阻止され、下部フランジ７Ａと上部フランジ６Ａとの間の所定位置に位置決め固定されている。この例では、スペーサ２１の径方向の内側縁部２１Ａは下部フランジ７Ａの内縁と面一またはやや突出した位置に固定され、スペーサ２１の径方向の外側縁部２１Ｂは下部フランジ７Ａの外側縁と面一になるように固定され、突出片部２６が下部フランジ７Ａの外側縁から突出するように配置されている。なお、スペーサ２１の径方向の内側縁部２１Ａは下部フランジ７Ａの内縁より径方向外側に引退していてもよい。この場合、スペーサ２１の径方向に沿う幅は、下部フランジ７Ａおよび上部フランジ６Ａの径方向の幅の半分程度までの幅に構成しておけばよい。
【００４３】
図５（ａ），（ｂ）に示すように、破砕物ＣＭが空隙Ｓからディスチャージリング６に落下する際に、チョークリング２０の内側縁部に衝突するため、チョークリング２０の内側縁部は次第に摩耗するとともに下方に歪むようになる。そのような場合に、上述したジャッキボルト２５を用いてシェル１を持上げることで、下部フランジ７Ａと上部フランジ６Ａとの間に隙間を形成して、チョークリング２０を径方向外側に引き抜き、新たなチョークリング２０と交換する作業が必要になる。
【００４４】
しかし、下部フランジ７Ａと上部フランジ６Ａとの間に形成される隙間は１ｍｍから２ｍｍ程度に過ぎないため、歪んだ部位が引っ掛かって引抜が困難となる場合が生じる。そのような場合でも、スペーサ２１を介在させることで、スペーサ２１を取り除いた場合にスペーサ２１の厚みだけ間隙が広くなり、良好にチョークリング２０を引き抜くことができるようになる。
【００４５】
本実施形態では、チョークリング２０は耐摩耗鋼板で構成され、その厚みは２５ｍｍに設定されている。また、スペーサ２１はＳＵＳで構成され、その厚みは５ｍｍに設定されている。少なくとも、スペーサ２１の厚みはチョークリング２０の歪による変形代より厚く構成することが好ましい。なお、上述したチョークリング２０やスペーサ２１の厚みは例示であり、この値に限るものではない。
【００４６】
チョークリング２０の交換時には、６枚のチョークリング２０の其々にジャッキボルト２５を挿通してシェル７を均等に持ち上げ、交換対象となるチョークリング２０に備えた位置調節機構３０を取り外す。その後、ジャッキボルト２５を引き抜き、スペーサ２１を取り外して隙間を広げた後にチョークリング２０の交換作業を行なう。スペーサ２１が下部フランジ７Ａやチョークリング２０に密着している場合には、突出片部２６に形成された孔部に治具を挿通し、或いは突出片部２６に機械的衝撃を与えることで容易に密着状態が解消できる。
【００４７】
スペーサ２１の交換時には、再度スペーサ２１を挿入するとともに位置調節機構３０を組み付けて、スペーサ２１を位置決めした後に、ジャッキボルト２５を挿通した後に、他のスペーサ２１に対しても、同様の作業を繰り返す。
【００４８】
なお、ジャッキボルト２５に代えて、小型の油圧ジャッキを用いてシェル７を均等に持ち上げることも可能である。この場合、中心角が略１２０度となる３か所に油圧ジャッキを設置することができる。
【００４９】
なお、スペーサ２１は上部フランジ６Ａとチョークリング２０の下面および／または下部フランジ７とチョークリング２０の上面の間に配置していればよい。
【００５０】
上述した実施形態では、図６（ａ）に示すように、一枚で構成され、径方向内縁部に櫛歯状の切欠き２０Ｃが形成された一枚物のチョークリング２０を説明したが、チョークリング２０の構成はこの例に限るものではない。
【００５１】
例えば、図６（ｂ）に示すように、櫛歯状の切欠き２０Ｃを備えず、径方向内縁部に単に弧状に形成されたチョークリング２０であっても、同様にスペーサ２１を重畳することができる。また、図６（ｃ）に示すように、上下に二枚のチョークリング２０を備え、上側チョークリングが図６（ａ）に示したチョークリング２０と同様の構成のチョークリングで構成し、下側に備えたチョークリングが図６（ｂ）に示したチョークリング２０と同様の構成の、径方向内縁部に単に弧状に形成されたチョークリングで構成し、下側に備えたチョークリングにより櫛歯状の切欠き２０Ｃの深さを調整するように構成することもできる。
【００５２】
尚、上述した実施形態は、本発明の一例に過ぎず、本発明の作用効果を奏する範囲において各部の具体的な構造、形状、サイズ等を適宜変更設計できることは言うまでもない。
【符号の説明】
【００５３】
１：竪型破砕機
２：装置フレーム
３：電動モータ
４：回転軸４
５：破砕処理部
６：ディスチャージリング
６Ａ:上部フランジ
６０：排出口
７：シェル
７Ａ：下部フランジ
８：破砕機構
１３：シェルライナ
１４：ブレーカ
１５，１６：ブレーカアーム
１７：ロータ
１８：円盤
１９：破砕グラインダ
２０：チョークリング
２１：スペーサ
【要約】
【課題】シェルの下部フランジとディスチャージリングの上部フランジとの間に形成される間隙が僅かであっても、チョークリングを径方向外側に引き抜くことができる竪型破砕機を提供する。
【解決手段】内側にシェルライナが配された筒状のシェルの下部に筒状のディスチャージリングを設置し、前記シェルの中心に設けた回転軸に取付けた破砕機構と前記シェルライナとの間で被破砕物を破砕し、前記シェルの下部フランジと前記ディスチャージリングの上部フランジとの間に設置したチョークリングと前記破砕機構との間隙から破砕物を前記ディスチャージリングに落下させる破砕機であって、前記上部フランジと前記チョークリングの下面および／または前記下部フランジと前記チョークリングの上面の間にスペーサを備えている。
【選択図】図５【図１】
0006947904.tif 000002
【図２】
0006947904.tif 000003
【図３】
0006947904.tif 000004
【図４】
0006947904.tif 000005
【図５】
0006947904.tif 000006
【図６】
0006947904.tif 000007